(57)【要約】【課題】Ｒ、Ｇ、Ｂ別に独立的な階調電圧を使用する液晶表示装置駆動用のソースドライバー集積回路を提供する。【解決手段】Ｒ階調電圧発生回路、Ｇ階調電圧発生回路、Ｂ階調電圧発生回路、Ｒデコーダ、Ｇデコーダ、Ｂデコーダを具備する。Ｒ、Ｇ、Ｂ階調電圧発生回路は各々複数のＲ階調電圧、複数のＧ階調電圧、複数のＧ階調電圧を発生させる。ＲデコーダはＲ入力データに応えて複数のＲ階調電圧のうちいずれか１つを選択して出力し、ＧデコーダはＧ入力データに応えて複数のＧ階調電圧のいずれか１つを選択して出力し、ＢデコーダはＢ入力データに応えて前記複数のＢ階調電圧のいずれか１つを選択して出力する。そして、Ｒ、Ｇ、Ｂデコーダのレイアウト領域はＲ、Ｇ、Ｂ別に分離されることを特徴とする。【選択図】　　　図１
2004029795.tif 000002
【特許請求の範囲】
【請求項１】
液晶表示装置を駆動するためのソースドライバー集積回路において、
Ｒデコーダ領域に配置されて各々Ｒ入力データに応えて複数のＲ階調電圧のうちいずれか１つを選択し、該選択されたＲ階調電圧を出力するＲデコーダと、
Ｇデコーダ領域に配置されて各々Ｇ入力データに応えて複数のＧ階調電圧のうちいずれか１つを選択し、該選択されたＧ階調電圧を出力するＧデコーダと、
Ｂデコーダ領域に配置されて各々Ｂ入力データに応えて複数のＧ階調電圧のうちいずれか１つを選択し、該選択されたＢ階調電圧を出力するＢデコーダと、
前記Ｒデコーダ領域に配置され、前記複数のＲ階調電圧を発生させるＲ階調電圧発生回路と、
前記Ｇデコーダ領域に配置され、前記複数のＧ階調電圧を発生させるＧ階調電圧発生回路と、
前記Ｂデコーダ領域に配置され、前記複数のＢ階調電圧を発生させるＢ階調電圧発生回路と、を具備し、
前記Ｒ、Ｇ、Ｂデコーダ領域は相互分離されることを特徴とするソースドライバー集積回路。
【請求項２】
前記Ｒ、Ｇ、Ｂ階調電圧発生回路の各々は、
前記Ｒ、Ｇ、Ｂデコーダ領域の実質的な中央部に配置されることを特徴とする請求項１に記載のソースドライバー集積回路。
【請求項３】
前記Ｒ、Ｇ、Ｂ階調電圧発生回路の各々は、
前記Ｒ、Ｇ、Ｂデコーダ領域の実質的な縁部に配置されることを特徴とする請求項１に記載のソースドライバー集積回路。
【請求項４】
前記ソースドライバー集積回路は、
前記選択されたＲ、Ｇ、Ｂ階調電圧をバッファリングまたは増幅する増幅部をさらに具備することを特徴とする請求項１に記載のソースドライバー集積回路。
【請求項５】
液晶表示装置を駆動するためのソースドライバー集積回路において、
複数のＲ階調電圧を発生させるＲ階調電圧発生回路と、
複数のＧ階調電圧を発生させるＧ階調電圧発生回路と、
複数のＢ階調電圧を発生させるＢ階調電圧発生回路と、
Ｒ入力データに応えて前記複数のＲ階調電圧のうちいずれか１つを選択し、該選択されたＲ階調電圧を出力するＲデコーダと、
Ｇ入力データに応えて前記複数のＧ階調電圧のうちいずれか１つを選択し、該選択されたＧ階調電圧を出力するＧデコーダと、
Ｂ入力データに応えて前記複数のＢ階調電圧のうちいずれか１つを選択し、該選択されたＢ階調電圧を出力するＢデコーダを具備し、
前記Ｒ、Ｇ、Ｂデコーダのレイアウト領域をＲ、Ｇ、Ｂ別に分離したことを特徴とするソースドライバー集積回路。
【請求項６】
前記Ｒ階調電圧のための配線は前記Ｇ、Ｂデコーダのレイアウト領域を通過せず、前記Ｇ階調電圧のための配線は前記Ｒ、Ｂデコーダのレイアウト領域を通過せず、前記Ｂ階調電圧のための配線は前記Ｒ、Ｇデコーダのレイアウト領域を通過しないことを特徴とする請求項５に記載のソースドライバー集積回路。
【請求項７】
前記Ｒ階調電圧発生回路は前記Ｒデコーダのレイアウト領域に配置され、前記Ｇ階調電圧発生回路は前記Ｇデコーダのレイアウト領域に配置され、前記Ｂ階調電圧発生回路は前記Ｂデコーダのレイアウト領域に配置されることを特徴とする請求項５に記載のソースドライバー集積回路。
【請求項８】
前記ソースドライバー集積回路は、
前記選択されたＲ、Ｇ、Ｂ階調電圧をバッファリングまたは増幅する増幅部をさらに具備することを特徴とする請求項５に記載のソースドライバー集積回路。
【発明の詳細な説明】
【０００１】
【発明の属する技術分野】
本発明はディスプレー装置に係り、特に、Ｒ、Ｇ、Ｂ別に別途の階調電圧を発生させるディスプレーパネル駆動用のソースドライバー集積回路のレイアウトに関する。
【０００２】
【従来の技術】
現在、薄膜トランジスタ（以下、ＴＦＴという）液晶表示装置（以下、ＬＣＤという）はノート型パソコン、モニター等で広く使われるディスプレー装置として、特に、カラーディスプレー装置として多く使われる。
カラーＬＣＤ画面はＲ、Ｇ、Ｂカラーフィルターを通過する色の組み合わせによって１つの色として表現される。Ｒ、Ｇ、Ｂの各々の色を表すためにＴＦＴ−ＬＣＤのソース電極に印加される電圧を階調電圧といい、階調電圧はディスプレーパネル駆動用ソースドライバーＩＣで出力される。階調電圧の大きさによって色の明るさが変わる。
【０００３】
ところが、従来技術では各Ｒ、Ｇ、Ｂ階調電圧は１つの階調電圧発生回路で生成される。すなわち、階調電圧発生回路でＲ、Ｇ、Ｂの区分なしに同じ階調電圧を発生させる。これはＲ、Ｇ、Ｂの各画素の電気光学的な特性、すなわち、光についての輝度特性が同一であるとの仮定を前提にする。しかし、Ｒ、Ｇ、Ｂの各画素の光についての輝度特性は実際少しずつ差がある。すなわち、同じ階調電圧に対するＲ、Ｇ、Ｂ各々の輝度特性は同一ではない。これによって白または黒の画面出力時にＧまたはＲが少しだけ見られるＧ−ホワイト、Ｒ−ブラック画面が発生する問題点がある。
【０００４】
したがって、前記問題点を解決するために、Ｒ、Ｇ、Ｂ各々の階調電圧が必要である。Ｒ、Ｇ、Ｂ各々の階調電圧を別途に生成する方式が採用される場合、既存のソースドライバー集積回路（以下、ソースドライバーＩＣという）のレイアウト方式では、同一空間に階調電圧のための配線ライン数が３倍に増えるためにＩＣチップが大幅に大きくなる問題点が発生する。
したがって、Ｒ、Ｇ、Ｂ別に独立的な階調電圧を使用しつつ、ソースドライバーＩＣチップの大きさを増加させないレイアウト方式が要求される。
【０００５】
【発明が解決しようとする課題】
本発明が解決しようとする技術的な課題は、Ｒ、Ｇ、Ｂ別に独立的な階調電圧を使用しつつ、チップサイズの増加を最小化することのできるソースドライバーＩＣを提供することである。
【０００６】
【課題を解決するための手段】
前記技術的な課題を解決するため、本願第１の発明はＬＣＤを駆動するためのソースドライバー集積回路に関する。本発明によるソースドライバー集積回路はＲデコーダ領域に配置されて、各々がＲ入力データに応えて複数のＲ階調電圧のうちいずれか１つを選択し、該選択されたＲ階調電圧を出力するＲデコーダと、Ｇデコーダ領域に配置されて、各々がＧ入力データに応えて複数のＧ階調電圧のうちいずれか１つを選択し、該選択されたＧ階調電圧を出力するＧデコーダと、Ｂデコーダ領域に配置されて、各々がＢ入力データに応えて複数のＧ階調電圧のうちいずれか１つを選択し、該選択されたＢ階調電圧を出力するＢデコーダと、前記Ｒデコーダ領域に配置され、前記複数のＲ階調電圧を発生させるＲ階調電圧発生回路と、前記Ｇデコーダ領域に配置され、前記複数のＧ階調電圧を発生させるＧ階調電圧発生回路と、前記Ｂデコーダ領域に配置され、前記複数のＢ階調電圧を発生させるＢ階調電圧発生回路とを具備し、前記Ｒ、Ｇ、Ｂデコーダ領域は相互分離されることを特徴とする。
【０００７】
前記ソースドライバーＩＣにおいて、前記Ｒ、Ｇ、Ｂ階調電圧発生回路の各々は前記Ｒ、Ｇ、Ｂデコーダ領域の実質的な中央部に配置され、または前記Ｒ、Ｇ、Ｂデコーダ領域の実質的な縁部に配置されることが好ましい。
さらに、本願第２の発明は、ＬＣＤを駆動するためのソースドライバー集積回路に関する。本発明によるソースドライバー集積回路は複数のＲ階調電圧を発生させるＲ階調電圧発生回路と、複数のＧ階調電圧を発生させるＧ階調電圧発生回路と、複数のＢ階調電圧を発生させるＢ階調電圧発生回路と、Ｒ入力データに応えて前記複数のＲ階調電圧のうちいずれか１つを選択し、選択されたＲ階調電圧を出力するＲデコーダと、Ｇ入力データに応えて前記複数のＧ階調電圧のうちいずれか１つを選択し、該選択されたＧ階調電圧を出力するＧデコーダと、Ｂ入力データに応えて前記複数のＢ階調電圧のうちいずれか１つを選択し、該選択されたＢ階調電圧を出力するＢデコーダを具備し、前記Ｒ、Ｇ、Ｂデコーダのレイアウト領域をＲ、Ｇ、Ｂ別に分離したことを特徴とする。
【０００８】
ここで、前記Ｒ階調電圧のための配線は前記Ｇ、Ｂデコーダのレイアウト領域を通過せず、前記Ｇ階調電圧のための配線は前記Ｒ、Ｂデコーダのレイアウト領域を通過せず、前記Ｂ階調電圧のための配線は前記Ｒ、Ｇデコーダのレイアウト領域を通過しないことが好ましい。
前記ソースドライバーＩＣは前記選択されたＲ、Ｇ、Ｂ階調電圧をバッファリングまたは増幅する増幅部をさらに具備できる。
【０００９】
【発明の実施の形態】
本発明及び本発明の動作上のメリット及び本発明の実施によって達成される目的を十分に理解するためには、本発明の望ましい実施例を例示する添付図面及び添付図面に記載された内容を参照すべきである。
以下、添付した図面に基づき、本発明の望ましい実施例を説明することによって、本発明を詳述する。各図面に提示された同じ参照符号は同じ部材を示す。
【００１０】
図１は、本発明の一実施例によるソースドライバーＩＣ１００のレイアウトを示す。これを参照すれば、本発明の一実施例によるソースドライバーＩＣ１００はＲ階調電圧発生回路１１Ｒ、Ｇ階調電圧発生回路１１Ｇ、Ｂ階調電圧発生回路１１Ｂ、ＲデコーダＲ　ＤＥＣ、ＧデコーダＧ　ＤＥＣ、ＢデコーダＢ　ＤＥＣを具備する。
【００１１】
Ｒ階調電圧発生回路１１Ｒは複数の基準電圧を利用して複数のＲ階調電圧（ＶｉＲ、ｉ＝１〜６４）を発生させる。同じく、Ｇ階調電圧発生回路１１Ｇは複数のＧ階調電圧（ＶｉＧ、ｉ＝１〜６４）を、Ｂ階調電圧発生回路１１Ｂは複数のＢ階調電圧（ＶｉＢ、ｉ＝１〜６４）を発生させる。階調電圧発生回路１１Ｒ、１１Ｇ、１１Ｂは各々直列に連結される多数の抵抗（図示せず）を利用して基準電圧を分配することによって、階調電圧（ＶｉＲ、ＶｉＧ、ＶｉＢ、ｉ＝１〜６４）を発生させる。本実施例ではＲ、Ｇ、Ｂ階調電圧発生回路１１Ｒ、１１Ｇ、１１Ｂは各々６４個の階調電圧（ＶｉＲ、ＶｉＧ、ＶｉＢ、ｉ＝１〜６４）を発生させる。
デコーダＲ、Ｇ、ＢＤＥＣ群は入力されるデジタルデータ（ＤｉＲ、ＤｉＧ、ＤｉＢ、ｉ＝１〜１２８）に応えて６４個の階調電圧（ＶｉＲ、ＶｉＧ、ＶｉＢ、ｉ＝１〜６４）のうちいずれか１つを選択して出力する。
【００１２】
したがって、デコーダＲ、Ｇ、ＢＤＥＣ群は一度に出力される出力信号（ＹｉＲ、ＹｉＧ、ＹｉＢ、ｉ＝１〜１２８）の数だけ具備されるのが望ましい。本実施例では液晶パネルの１ラインが１２８画素よりなると仮定する。１つの画素を表現するために、Ｒ、Ｇ、Ｂの３つの出力信号が必要なので、１ラインを表現するためには合計３８４個のＲ、Ｇ、Ｂ出力信号（ＹｉＲ、ＹｉＧ、ＹｉＢ、ｉ＝１〜６４）が必要である。また、３８４個のＲ、Ｇ、Ｂ出力信号（ＹｉＲ、ＹｉＧ、ＹｉＢ、ｉ＝１〜６４）を発生させるために３８４個のＲ、Ｇ、Ｂ入力データ（ＤｉＲ、ＤｉＧ、ＤｉＢ、ｉ＝１〜６４）が必要である。Ｒ、Ｇ、Ｂ入力データ（ＤｉＲ、ＤｉＧ、ＤｉＢ、ｉ＝１〜６４）はマイクロプロセッサー（図示せず）から入力されるデジタル信号である。したがって、６４個の階調電圧のうちいずれか１つを選択するためには、Ｒ、Ｇ、Ｂ入力データ（ＤｉＲ、ＤｉＧ、ＤｉＢ、ｉ＝１〜６４）は各々６ビットで構成されるデジタル信号であることが望ましい。
【００１３】
１２８個のＲデコーダＲＤＥＣ群は各々Ｒ入力データ（ＤｉＲ、ｉ＝１〜１２８）に応えて６４個のＲ階調電圧（ＶｉＲ、ｉ＝１〜６４）のうちいずれか１つを選択して出力する。同じく、１２８個のＧデコーダＧＤＥＣ群は各々Ｇ入力データ（ＤｉＧ、ｉ＝１〜１２８）に応えて６４個のＧ階調電圧（ＶｉＧ、ｉ＝１〜６４）のうちいずれか１つを選択して出力する。１２８個のＢデコーダＢＤＥＣ群は各々Ｂ入力データ（ＤｉＢ、ｉ＝１〜１２８）に応えて６４個のＢ階調電圧（ＶｉＢ、ｉ＝１〜６４）のうちいずれか１つを選択して出力する。
望ましくは、本発明の一実施例によるソースドライバーＩＣ１００は、Ｒ、Ｇ、ＢデコーダＲ　Ｇ　Ｂ　ＤＥＣ群の出力信号をバッファリングしたり、増幅するための増幅部ＡＭＰ群をさらに具備する。増幅部ＡＭＰ群の出力信号（ＹｉＲ、ＹｉＧ、ＹｉＢ、ｉ＝１〜１２８）が液晶に印加される信号である。
【００１４】
本実施例では、Ｒ、Ｇ、ＢデコーダはＲ、Ｇ、Ｂ別に各々異なる領域ＲＥＧ＿Ｒ、ＲＥＧ＿Ｇ、ＲＥＧ＿Ｂに分離されてレイアウトされる。そして、各デコーダ部が配置される領域ＲＥＧ＿Ｒ、ＲＥＧ＿Ｇ、ＲＥＧ＿Ｂの中央に各階調電圧発生回路１１Ｒ、１１Ｇ、１１Ｂが配置される。さらに詳しく説明すれば、１２８個のＲデコーダＲＤＥＣ群よりなるＲデコーダ部の中央にＲ階調電圧発生回路１１Ｒが配置され、１２８個のＧデコーダＧＤＥＣ群よりなるＧデコーダ部の中央にＧ階調電圧発生回路１１Ｇが配置され、１２８個のＢデコーダＢＤＥＣ群よりなるＢデコーダ部の中央にＢ階調電圧発生回路１１Ｂが配置される。
【００１５】
前記のように、デコーダ部がＲ、Ｇ、Ｂ別に相互独立的な領域ＲＥＧ＿Ｒ、ＲＥＧ＿Ｇ、ＲＥＧ＿Ｂに各々配置され、各デコーダ部が形成される領域ＲＥＧ＿Ｒ、ＲＥＧ＿Ｇ、ＲＥＧ＿Ｂに当たる階調電圧発生回路１１Ｒ、１１Ｇ、１１Ｂを配置することによって、各階調電圧発生回路ＲＥＧ＿Ｒ、ＲＥＧ＿Ｇ、ＲＥＧ＿Ｂで発生される階調電圧のための配線が他のデコーダ領域を通過する必要がない。すなわち、Ｒ階調電圧（ＶｉＲ、ｉ＝１〜６４）のための配線はＧ、Ｂデコーダのレイアウト領域ＲＥＧ＿Ｇ、ＲＥＧ＿Ｂを通過せず、Ｇ階調電圧（ＶｉＧ、ｉ＝１〜６４）のための配線はＲ、Ｂデコーダのレイアウト領域ＲＥＧ＿Ｒ、ＲＥＧ＿Ｂを通過せず、Ｂ階調電圧（ＶｉＢ、ｉ＝１〜６４）のための配線はＲ、Ｇデコーダのレイアウト領域ＲＥＧ＿Ｒ、ＲＥＧ＿Ｇを通過しない。
したがって、Ｒ、Ｇ、Ｂ別に階調電圧を別に使用しても、Ｒ、Ｇ、Ｂの区分なしに同じ階調電圧を使用する従来に比べて、追加された階調電圧発生回路２個の他にはチップの大きさが増加されない。
【００１６】
本実施例では階調電圧発生回路１１Ｒ、１１Ｇ、１１Ｂが該当デコーダ領域ＲＥＧ＿Ｒ、ＲＥＧ＿Ｇ、ＲＥＧ＿Ｂの中央に各々配置されるが、階調電圧発生回路１１Ｒ、１１Ｇ、１１Ｂは該当デコーダ領域ＲＥＧ＿Ｒ、ＲＥＧ＿Ｇ、ＲＥＧ＿Ｂの縁部に配置することも可能である。したがって、各階調電圧発生回路１１Ｒ、１１Ｇ、１１Ｂで発生される階調電圧のための配線が他のデコーダ領域を通過する必要がないように、デコーダをＲ、Ｇ、Ｂ別に各々別途に配置し、各デコーダ領域に該当階調電圧発生回路を配置する多様なレイアウト方法が可能なのは当業者には自明である。
【００１７】
図２に本発明との比較例として、従来のソースドライバーＩＣのレイアウトを示す。これを参照すれば、ソースドライバーＩＣ２００はＲＧＢ階調電圧発生回路２１０、デコーダ部ＲＧＢＤＥＣ群、増幅部ＡＭＰ群を具備する。
図２に図示された例では、デコーダはＲ、Ｇ、Ｂ別に区分された領域に配置されない。すなわち、図２では１２８個のＲ、Ｇ、Ｂ出力信号（ＹｉＲ、ＹｉＧ、ＹｉＢ、ｉ＝１〜１２８）を発生させるデコーダＲＧＢＤＥＣ群がＲ、Ｇ、Ｂ順に配置されている。
【００１８】
そして、Ｒ階調電圧（ＶｉＲ、ｉ＝１〜６４）、Ｇ階調電圧（ＶｉＧ、ｉ＝１〜６４）及びＢ階調電圧（ＶｉＢ、ｉ＝１〜６４）を発生させるＲＧＢ階調電圧発生回路２１０がデコーダＲ、Ｇ、ＢＤＥＣ群が配置される領域の中央に配置される。
図２でＲ階調電圧（ＶｉＲ、ｉ＝１〜６４）、Ｇ階調電圧（ＶｉＧ、ｉ＝１〜６４）及びＢ階調電圧（ＶｉＢ、ｉ＝１〜６４）が各々６４個ならば、ＲＧＢ階調電圧発生回路２１０より合計１９２個の階調電圧が発生する。そして、１９２個の階調電圧（ＶｉＲ、ＶｉＧ、ＶｉＢ、ｉ＝１〜６４）を配線するためにデコーダが配置される領域に１９２個の階調電圧配線ラインが形成されるべきである。
【００１９】
ＲデコーダＲＤＥＣ群は各々Ｒ入力データ（ＤｉＲ、ｉ＝１〜１２８）に応えて６４個のＲ階調電圧（ＶｉＲ、ｉ＝１〜６４）のうちいずれか１つを選択して出力し、ＧデコーダＧＤＥＣ群は各々Ｇ入力データ（ＤｉＧ、ｉ＝１〜１２８）に応えて６４個のＧ階調電圧（ＶｉＧ、ｉ＝１〜６４）のうちいずれか１つを選択して出力し、ＢデコーダＢＤＥＣ群は各々Ｂ入力データ（ＤｉＢ、ｉ＝１〜１２８）に応えて６４個のＢ階調電圧（ＶｉＢ、ｉ＝１〜６４）のうちいずれか１つを選択して出力する。それゆえに、Ｒ、Ｇ、ＢデコーダＲ、Ｇ、ＢＤＥＣ群には各々該当階調電圧だけ入力されればいいが、図２に図示されたようなレイアウト方式でデコーダＲ、Ｇ、ＢＤＥＣ群及びＲＧＢ階調電圧発生回路２１０が配置されれば、合計１９２個の階調電圧Ｄ（ＶｉＲ、ＶｉＧ、ＶｉＢ、ｉ＝１〜６４）のための配線がデコーダ領域にレイアウトされるべきである。
【００２０】
したがって、図２でデコーダ領域を通過する階調電圧配線は、Ｒ、Ｇ、Ｂに対して同じ階調電圧を発生させる１つの階調電圧発生回路を使用する場合に比べて３倍になる。それゆえに、これらの階調電圧配線ラインによってソースドライバーＩＣのレイアウトの大きさが増加し、また階調電圧配線ラインが隣接ラインと重なる可能性も高くなる。
本発明は図面に図示された一実施例を参考として説明されたが、これは例示的なものに過ぎず、本技術分野の当業者ならばこれより多様な変形及び均等な他の実施例が可能である点が理解できるであろう。したがって、本発明の真の技術的な保護範囲は特許請求の範囲の技術的思想により定められねばならない。
【００２１】
【発明の効果】
以上述べたように、本発明によれば、Ｒ、Ｇ、Ｂ別に階調電圧を独立的に使用しつつ、チップサイズの増加を最小化することができる。
【図面の簡単な説明】
【図１】本発明の一実施例によるソースドライバー集積回路の回路図。
【図２】本発明の一比較例によるソースドライバー集積回路の回路図。
【符号の説明】
１１Ｒ　　Ｒ階調電圧発生回路
１１Ｇ　　Ｇ階調電圧発生回路
１１Ｂ　　Ｂ階調電圧発生回路
Ｒ　ＤＥＣ　　Ｒデコーダ
Ｇ　ＤＥＣ　　Ｇデコーダ
Ｂ　ＤＥＣ　　Ｂデコーダ
１００　　ソースドライバーＩＣ
【図１】
2004029795.tif 000003
【図２】
2004029795.tif 000004